(57)【要約】【課題】巻芯の分解及び組み付けが容易であり、かつ巻芯に加わる半径方向の荷重を十分に受けることが可能な巻き取り用リールを提供する。【解決手段】巻き取り用リールにおいて、それぞれの対向面に保持軸が形成された一対のフランジと、前記フランジの周方向に並べられた複数のセグメントのそれぞれの両端部を前記保持軸の外周に嵌め合わせて構成され、前記複数のセグメントのそれぞれが少なくとも一方のフランジの前記保持軸に対して取り外し可能とされた巻芯とを設ける。【選択図】      図１
2004238184.tif 000002
【特許請求の範囲】
【請求項１】
それぞれの対向面に保持軸が設けられた一対のフランジと、前記フランジの周方向に並べられた複数のセグメントのそれぞれの両端部を前記保持軸の外周に嵌め合わせて構成され、前記複数のセグメントのそれぞれが少なくとも一方のフランジの前記保持軸に対して取り外し可能とされた巻芯と、を具備することを特徴とする巻き取り用リール。
【請求項２】
前記複数のセグメントが連結手段によって相互に連結されていることを特徴とする請求項１に記載の巻き取り用リール。
【請求項３】
少なくとも一つのセグメントと前記保持軸とを周方向に噛み合わせる手段を備えていることを特徴とする請求項１又は２に記載の巻き取り用リール。
【請求項４】
前記巻芯の内側に配置される共通の支軸によって前記一対のフランジが同軸上に支持され、前記一方のフランジ及び／又は他方のフランジが前記支軸から取り外し可能であることを特徴とする請求項１〜３のいずれか１項に記載の巻き取り用リール。
【発明の詳細な説明】
【０００１】
【発明の属する技術分野】
本発明は、連続したシート等を巻き取るための巻き取り用リールに関する。
【０００２】
【従来の技術】
この種のリールとしては、フランジの周方向に並べられた複数のセグメントのそれぞれをスタッドボルトによってフランジに固定して巻芯を構成したものがある（特許文献１参照）。また、各フランジの対向面に取り付けた複数のセグメント（ピン）を相手側のフランジの対向面に設けた嵌合用孔にそれぞれ嵌め合わせて巻芯を構成したリールも存在する（特許文献２参照）。
【０００３】
【特許文献１】
特開平７−５３１３７号公報
【特許文献２】
実開平６−８３６７０号公報
【発明が解決しようとする課題】
【０００４】
複数のセグメントによって巻芯を構成した場合には、巻芯を分解することにより、巻き取られたロールをリールから容易に取り出せる利点がある。しかし、スタッドボルトにて各セグメントをフランジに固定する方法では巻芯の分解及び組み付けに手間がかかる。フランジの嵌合用孔にピンを嵌め合わせる構造では複数のピンのそれぞれを嵌合用孔に対して個々に位置合わせする必要があり、ピン数が増えた場合の巻芯の組み付けに手間がかかる。ピンが長い場合にはピンの撓みが大きくなるので嵌合用孔との位置合わせがさらに面倒になる。薄いフランジに嵌合用孔を設けているのでピンと嵌合用孔との接触面積が比較的小さく制限され、巻芯に加わる半径方向の荷重を十分に支持できないおそれもある。
【０００５】
そこで、本発明は、巻芯の分解及び組み付けが容易であり、かつ巻芯に加わる半径方向の荷重を十分に受けることが可能な巻き取り用リールを提供することを目的とする。
【０００６】
【課題を解決するための手段】
以下、本発明の巻き取り用リールについて説明する。なお、本発明の理解を容易にするために添付図面の参照符号を括弧書きにて付記するが、それにより本発明が図示の形態に限定されるものではない。
【０００７】
本発明の巻き取り用リール（１）は、それぞれの対向面（５ａ）に保持軸（６）が設けられた一対のフランジ（３Ａ、３Ｂ）と、前記フランジの周方向に並べられた複数のセグメント（８）のそれぞれの両端部を前記保持軸の外周に嵌め合わせて構成され、前記複数のセグメントのそれぞれが少なくとも一方のフランジ（３Ａ）の前記保持軸に対して取り外し可能とされた巻芯（４）とを具備することにより、上述した課題を解決する。
【０００８】
この発明の巻き取り用リールによれば、複数のセグメントのそれぞれをフランジの保持軸から取り外すことによって巻芯を半径方向に縮小するように分解し、その巻芯に巻き取られているロールを容易に取り外すことができる。巻芯をフランジに組み付ける際には複数のセグメントのそれぞれの端部の内側にフランジの保持軸を差し込んでその外周に各セグメントを嵌め合わせればよく、各セグメントの端部をフランジの嵌合用孔に位置決めする場合と比較して巻芯を簡単に組み付けることができる。複数のセグメントの両端部がフランジの保持軸によって巻芯の内周側から支持されるので、巻芯に加わる半径方向の荷重に対しても十分に耐えることができる。
【０００９】
本発明において、前記複数のセグメントが連結手段（９）によって相互に連結されてもよい。この場合には複数のセグメントを保持軸から取り外しても各セグメントが繋がっているので取り扱いや管理が容易であり、特に分解されたセグメントの散逸や紛失を防ぐ点で効果がある。巻芯を組み付ける際には互いに連結されたセグメントの集合体を保持軸の外周に巻き付けるだけでよく、巻芯の組み付けをさらに手際よく行える。
【００１０】
本発明の巻き取り用リールは、少なくとも一つのセグメントと前記保持軸とを周方向に噛み合わせる手段（７）を備えていてもよい。この態様によればフランジと巻芯とを確実に一体に回転させることができる。特に連結手段によって各セグメントが互いに連結されている場合には、いずれか一つのセグメントを保持軸と噛み合わせるだけで全てのセグメントが連結手段を介して保持軸と周方向に連結されて好ましい。但し、そのような連結手段がなくても、例えばセグメント同士が周方向に関して接触する構造であれば、いずれか一つのセグメントを保持軸と噛み合わせるだけで保持軸の回転を全てのセグメントに伝達することができる。
【００１１】
また、本発明の巻き取り用リールにおいては、前記巻芯の内側に配置される共通の支軸（２）によって前記一対のフランジが同軸上に支持され、前記一方のフランジ及び／又は他方のフランジが前記支軸から取り外し可能であってもよい。この場合にはフランジを支持軸から取り外すことにより、各セグメントを一方のフランジの保持軸から外して巻芯を半径方向に縮小させ、その巻芯上のロールを支持軸外に取り外すことができる。
【００１２】
【発明の実施の形態】
図１（ａ）及び（ｂ）に示すように、本実施形態の巻き取り用リール１は、支軸２と、その支軸２上に同軸に支持された一対のフランジ３Ａ、３Ｂと、フランジ３Ａ、３Ｂの間に装着される巻芯４とを備えている。なお、図１（ａ）は巻芯を取り外した状態を示している。以下においてフランジ３Ａ、３Ｂを区別する必要のないときはフランジ３と表記する。
【００１３】
支軸２は不図示の巻き取り装置に装着されて回転駆動される。各フランジ３は円板部５と、その円板部５の対向面５ａに一体回転可能に設けられた保持軸６とを備えている。円板部５及び保持軸６は互いに同軸であり、それらの中心は支軸２によって貫かれている。各フランジ３は保持軸６の外周からねじ込まれた止めねじ７により、支軸２に対して一体回転可能かつ軸線方向には移動不可能に取り付けられている。但し、止めねじ７を緩めることにより各フランジ３は支軸２から抜き取り可能である。なお、一方のフランジ３Ａのみを支軸２に対して抜き取り可能とし、他方のフランジ３Ｂについては支軸２の適当な位置に接合されてもよい。保持軸６は真円の外周面６ａを有している。それぞれの保持軸６の直径及び軸線方向の幅は互いに等しい。フランジ３を支軸２に固定した状態で止めねじ７の先端部は保持軸６の外周面６ａから幾らか突出する。
【００１４】
一方、巻芯４は、フランジ３の周方向に並べられた複数のセグメント８の両端部８ａを保持軸６の外周に嵌め合わせて構成されている。各セグメント８は長さ及び直径が等しいピン形状に形成されている。図２（ａ）にも示したように、セグメント８は連結手段としてのコード９により互いに平行かつ一定の間隔を空けて並べられた状態で連結されている。これらのセグメント８とコード９とによってすだれ状の巻芯用アッセンブリ１０が構成される。図２（ｂ）にも示したように巻芯用アッセンブリ１０を保持軸６（図１参照）の外周に沿って筒状に巻き付けて各フランジ３の保持軸６にて各セグメント８を内周側から保持することにより巻芯４が形成される。巻芯用アッセンブリ１０を保持軸６の外周に巻き付けることにより止めねじ７がいずれか一つのセグメント８と周方向に関して噛み合う。つまり、止めねじ７はセグメント８と保持軸６とを噛み合わせる手段として機能する。これにより、支軸２からフランジ３の保持軸６を介して巻芯４へ回転を伝達することが可能となる。巻芯４から保持軸６を抜き取れば図２（ｃ）に示すようにセグメント８の内径側の保持が失われて巻芯４が半径方向中心側に縮小するように分解される。
【００１５】
次に、以上のように構成された巻き取り用リール３の使用方法を説明する。まず、支軸２上にフランジ３Ａ、３Ｂを所定の間隔で取り付け、それらの保持軸６の外周に巻芯用アッセンブリ１０を巻き付けて巻き取りリール１を組み立てる。そして、組み立てられたリール１の巻芯４に巻き取り対象物の巻始めの端部を取り付けて支軸２を回転させることにより、図３に示すように巻芯４の外周に巻き取り対象物を巻き取ってそのロール２０を形成する。なお、巻き取り対象には、ロール２０として巻き取ることができる限り、紙、プラスチック等にて形成された各種のシート、フィルム、ベルト等を含めてよい。
【００１６】
ロール２０を形成した後は図４に示すように一方のフランジ３Ａの保持軸６を巻芯４の内周から抜き取り、さらにはフランジ３Ａを支軸２から抜き取る。その後、図５に示すようにセグメント８を他方のフランジ３Ｂの保持軸６から取り外す。これにより、セグメント８の内径側からの支持が失われて巻芯４が半径方向中心側に縮小するように分解される。従って、ロール２０をリール１から容易に取り外すことができる。ロール２０を取り外した後、再びフランジ３Ａ、３Ｂと巻芯４とを組み立てることにより、リール１を繰り返し使用することができる。
【００１７】
また、上記の巻き取り用リール１によれば、各セグメント８の端部をフランジ３の嵌合用孔に位置決めするように構成した場合と比較して巻芯４を簡単に組み付けることができる。しかも、複数のセグメント８の両端部がフランジ３の保持軸６によって巻芯４の内周側から支持されるので、半径方向の荷重に対する巻芯４の剛性を十分に確保することができる。さらに、保持軸６にて巻芯４が内径側から支持されるので巻芯４の形状の再現性が高く、保持軸６の真円度や支軸２に対する同軸度を高くしておけば、リール１の回転中心線に対して巻芯４の同軸度及び真円度を常に高く維持できる。これにより、リール１の回転中心（支軸２の回転中心）に対する巻芯４の中心線の傾き等に起因する巻き取り不良、例えば巻き取り対象物のずれや切断を防止できる。
【００１８】
以上の実施形態においては、フランジ３やセグメント８の材質や構造、形状はロール２０の巻き取り条件に応じて適宜に定めてよい。例えば、巻き取り力が大きいときはフランジ３の保持軸６やセグメント８を金属やエンジニアリングプラスチックのように比較的剛性を高く確保できる材料で構成することが望ましい。セグメント８の形状もピン形状に限らず、例えば弓形に湾曲した断面を有する板状にセグメント８が形成されてもよい。コード９は繊維、樹脂、金属等の各種の線材にて構成してよい。細いコードに代え、粘着テープ等を連結手段として利用してもよい。
【００１９】
上記の実施形態では各セグメント８の両端を保持軸６に対して取り外し可能としているが、本発明はこれに限らず少なくとも一方の保持軸６に対してセグメント８が取り外し可能であればよい。例えば、各セグメント８の一端部をフランジ３Ｂ又は３Ａのいずれか一方の保持軸６の外周に固定し、セグメント８の他端部を巻芯４の半径方向に弾性変形させて保持軸６を抜き差しする構造としてもよい。セグメント８が例えば細長いピン形状のように弾性的に撓み変形し易い形状又は構造であって、かつ、保持軸６を抜き取ってセグメント８を半径方向中心側に撓み変形させるだけでロール２０をリール１から取り外せる程度まで巻芯４を半径方向に縮小させ得る場合には、セグメント８の両端を保持軸６から取り外す必要もないからである。
【００２０】
本発明において、セグメント８は必ずしもコード９等の連結手段によって相互に連結されている必要はない。例えば、図６に示すように保持軸６の外周面６ａに各セグメント８の端部を受け入れる溝１１を形成し、セグメント８の外側からリング等の拘束手段１２を嵌め合わせて各セグメント８をセグメント８の溝１１内に拘束する構造によっても本発明の巻芯を構成することができる。但し、連結手段によってセグメント８を相互に連結しない場合に分解時にセグメント８がばらけるのでその個数をなるべく減らすことが望ましい。
【００２１】
【発明の効果】
以上説明したように、本発明の巻き取り用リールによれば、複数のセグメントのそれぞれをフランジの保持軸から取り外すことによって巻芯を半径方向に縮小するように分解することができるので、巻芯に巻き取られているロールを容易に取り外すことができるとともに、巻芯をフランジに組み付ける際には複数のセグメントのそれぞれの端部の内側にフランジの保持軸を差し込んでその外周に各セグメントを嵌め合わせればよく、各セグメントの端部をフランジの嵌合用孔に位置決めする場合と比較して巻芯を簡単に組み付けることができる。また、複数のセグメントの両端部がフランジの保持軸によって巻芯の内周側から支持されるので、巻芯に加わる半径方向の荷重に対しても十分に耐えることができる。
【図面の簡単な説明】
【図１】本発明の一実施形態に係る巻き取り用リールの構成を示す図。
【図２】図１の巻き取り用リールに使用される巻芯用アッセンブリとそれによって形成される巻芯とを示す図。
【図３】図１の巻き取り用リールに巻き取り対象物を巻き取ってロールを形成した状態を示す図。
【図４】ロールを取り出すべく一方のフランジを巻芯から取り外した様子を示す図。
【図５】ロールを取り出すべく他方のフランジから巻芯のセグメントを取り外した様子を示す図。
【図６】巻芯のセグメントを保持軸の外周に取り付けるための他の例を示す図。
【符号の説明】
１  巻き取り用リール
２  支軸
３Ａ、３Ｂ  フランジ
４  巻芯
５  円板部
５ａ  対向面
６  保持軸
７  止めねじ（噛み合わせる手段）
８  セグメント
８ａ  セグメントの端部
９  コード（連結手段）
１０  巻芯用アッセンブリ
１１  溝
１２  拘束手段
２０  ロール
【図１】
2004238184.tif 000003
【図２】
2004238184.tif 000004
【図３】
2004238184.tif 000005
【図４】
2004238184.tif 000006
【図５】
2004238184.tif 000007
【図６】
2004238184.tif 000008